(57)【要約】      （修正有）【課題】購入した現像カートリッジを異なる種類のドラムカートリッジに収容して使用できる現像カートリッジを提供する。【解決手段】現像カートリッジ３０に第１被押圧部３２ｃと異なる位置に第２被押圧部３２ｄを設ける。そして、第１ドラムカートリッジ２０Ａの収容部２５ａに現像カートリッジ３０を収容したときには、第１被押圧部３２ｃが第１押圧部４０Ａに押圧されて現像ローラ３５を感光体ドラム２１に押し付けるようにする。また、第２ドラムカートリッジ２０Ｂの収容部２５ａに現像カートリッジ３０を収容したときには、第２被押圧部３２ｄが第２押圧部４０Ｂに押圧されて現像ローラ３５を感光体ドラム２１に押し付けるようにする。【選択図】図２
0003167175.tif 000002
【実用新案登録請求の範囲】
【請求項１】
現像側筐体に現像ローラが回転自在に保持されるものであって、前記現像側筐体が、感光体ドラムを備えるドラムカートリッジの収容部に前記現像ローラを前記感光体ドラムに対向させるように収容されたときに、前記収容部に配置された押圧部に押圧される被押圧部を備える現像カートリッジにおいて、
前記被押圧部は、第１被押圧部と、前記第１被押圧部と異なる位置に設けられる第２被押圧部とを含む
ことを特徴とする現像カートリッジ。
【請求項２】
請求項１に記載する現像カートリッジにおいて、
前記現像側筐体は、前記現像ローラを保持する一対の側壁を有し、前記一対の側壁に前記第１被押圧部と前記第２被押圧部がそれぞれ配置されている
ことを特徴とする現像カートリッジ。
【請求項３】
請求項１又は請求項２に記載する現像カートリッジにおいて、
前記第１被押圧部と前記第２被押圧部は、前記現像ローラの軸方向中心を挟んで前記現像側筐体の左右両側に配置されている
ことを特徴とする現像カートリッジ。
【請求項４】
請求項１乃至請求項３の何れか１つに記載する現像カートリッジにおいて、
前記第１被押圧部と前記第２被押圧部は、前記現像側筐体の高さ方向に異なる位置に設けられている
ことを特徴とする現像カートリッジ。
【請求項５】
請求項１乃至請求項４の何れか１つに記載する現像カートリッジにおいて、
前記第２被押圧部は、前記現像ローラの軸線に対して直交するように配置される板状体であり、
前記現像側筐体は、前記第２被押圧部との接続部分に前記第２被押圧部の強度を補強する補強部を有する
ことを特徴とする現像カートリッジ。
【請求項６】
請求項１乃至請求項５の何れか１つに記載する現像カートリッジにおいて、
前記第１被押圧部は、前記現像側筐体に対して前記現像ローラの軸方向に突出するように設けられ、
前記第２被押圧部は、前記現像側筐体に対して前記現像ローラと反対方向に突出するように設けられている
ことを特徴とする現像カートリッジ。
【請求項７】
請求項１乃至請求項６の何れか１つに記載する現像カートリッジにおいて、
前記第１被押圧部は、第１ドラムカートリッジの第１押圧部に対応する位置に設けられ、
前記第２被押圧部は、第２ドラムカートリッジの第２押圧部に対応する位置に設けられている
ことを特徴とする現像カートリッジ。
【請求項８】
請求項１乃至請求項７の何れか１つに記載する現像カートリッジにおいて、
前記第２被押圧部は、前記現像側筐体に一体的に設けられている
ことを特徴とする現像カートリッジ。
【考案の詳細な説明】
【技術分野】
【０００１】
本考案は、現像カートリッジに関する。
【背景技術】
【０００２】
画像形成装置には、トナーなどの現像剤を用いて用紙に印刷するものがある。現像剤は、印刷を重ねる毎に減少する。そのため、画像形成装置は、現像剤を備えるプロセスユニットを画像形成装置本体に着脱自在に装着し、現像剤の補充等のメンテナンスを容易にしている。プロセスユニットは、構成部品の消耗期間の相違から、感光体ドラムを備えるドラムカートリッジと、現像ローラを備える現像カートリッジとを分離可能に設けている。
【０００３】
現像カートリッジは、現像ローラが現像側筐体に回転可能に保持されている。現像カートリッジは、現像ローラを感光体ドラムに対向させるようにドラムカートリッジの収容部に現像側筐体を収容される。ドラムカートリッジの収容部には、押圧部材が配置されている。現像側筐体は、収容部に収容されたときに押圧部に押圧され、現像ローラを感光体ドラムに対して押し付ける被押圧部を有する。このような現像カートリッジは、現像ローラから感光体ドラムに供給する現像剤の量が安定する（例えば、特許文献１参照。）。
【特許文献１】特開２０００−２５０３７８号公報
【考案の概要】
【考案が解決しようとする課題】
【０００４】
しかしながら、従来の現像カートリッジは使い勝手が悪い点があった。
【０００５】
本考案は、上記問題点を解決するように改良した現像カートリッジを提供するものである。
【課題を解決するための手段】
【０００６】
本考案に係る現像カートリッジは、次のような構成を有している。
（１）現像側筐体に現像ローラが回転自在に保持されるものであって、前記現像側筐体が、感光体ドラムを備えるドラムカートリッジの収容部に前記現像ローラを前記感光体ドラムに対向させるように収容されたときに、前記収容部に配置された押圧部に押圧される被押圧部を備える現像カートリッジにおいて、前記被押圧部は、第１被押圧部と、前記第１被押圧部と異なる位置に設けられる第２被押圧部とを含む。
（２）（１）に記載の考案において、前記現像側筐体は、前記現像ローラを保持する一対の側壁を有し、前記一対の側壁に前記第１被押圧部と前記第２被押圧部がそれぞれ配置されている。
（３）（１）又は（２）に記載の考案において、前記第１被押圧部と前記第２被押圧部は、前記現像ローラの軸方向中心を挟んで前記現像側筐体の左右両側に配置されている。
（４）（１）乃至（３）の何れか１つに記載の考案において、前記第１被押圧部と前記第２被押圧部は、前記現像側筐体の高さ方向に異なる位置に設けられている。
（５）（１）乃至（４）の何れか１つに記載の考案において、前記第２被押圧部は、前記現像ローラの軸線に対して直交するように配置される板状体であり、前記現像側筐体は、前記第２被押圧部との接続部分に前記第２被押圧部の強度を補強する補強部を有する。
（６）（１）乃至（５）の何れか１つに記載する現像カートリッジにおいて、前記第１被押圧部は、前記現像側筐体に対して前記現像ローラの軸線方向に突出するように設けられ、前記第２被押圧部は、前記現像側筐体に対して前記現像ローラと反対方向に突出するように設けられている。
（７）（１）乃至（６）の何れか１つに記載の考案において、前記第１被押圧部は、第１ドラムカートリッジの第１押圧部に押圧されるものであり、前記第２被押圧部は、第２ドラムカートリッジの第２押圧部に押圧されるものである。
（８）（１）乃至（７）の何れか１つに記載の考案において、前記第２被押圧部は、前記現像側筐体に一体的に設けられている。
【考案の効果】
【０００７】
本考案の現像カートリッジは、第１被押圧部と異なる位置に第２被押圧部が設けられているので、購入した現像カートリッジを異なる種類のドラムカートリッジに収容して使用できる。
【０００８】
また、本考案の現像カートリッジは、現像側筐体が、現像ローラを保持する一対の側壁を有し、その一対の側壁に第１被押圧部と第２被押圧部がそれぞれ配置されている。そのため、本考案の現像カートリッジは、第１及び第２被押圧部の何れが、第１及び第２押圧部に押圧されても、その押圧力を一対の側壁を介して現像ローラに効率的に伝達し、良好な印字性能を得ることができる。
【０００９】
また、本考案の現像カートリッジは、第１被押圧部と第２被押圧部が、現像ローラの中心を挟んで現像側筐体の左右両側に設けられている。そのため、本考案の現像カートリッジは、第１及び第２被押圧部が第１及び第２押圧部に押圧されたときに、その押圧力を現像ローラに均一に作用させ、良好な印字性能を得ることができる。
【００１０】
また、本考案の現像カートリッジは、第１被押圧部と第２被押圧部が現像側筐体の高さ方向に異なる位置に設けられているため、現像側筐体を既存のサイズにしたまま第１及び第２被押圧部を現像側筐体に設けることができる。
【００１１】
また、本考案の現像カートリッジは、第２被押圧部が、現像ローラの軸線に対して直交するように配置された板状体であり、現像側筐体が、第２被押圧部との接続部分に第２被押圧部の強度を補強する補強部を有する。そのため、既存品の隙間に第２被押圧部を配置することができる。そして、この場合、補強部が第２被押圧部を補強するので、第２被押圧部が破損するのを防止することができる。
【００１２】
また、本考案の現像カートリッジは、第１被押圧部が、現像側筐体に対して現像ローラの軸線方向に突出するように設けられ、第２被押圧部が、現像側筐体に対して現像ローラと反対方向に突出するように設けられている。そのため、本考案の現像カートリッジは、第１及び第２被押圧部が異なる場所に配置され、第１及び第２被押圧部の何れか一方が第１及び第２押圧部に押圧されるときに、使用されない他方の第１又は第２被押圧部が邪魔にならない。
【００１３】
また、本考案の現像カートリッジは、第２被押圧部が現像側筐体に一体的に設けられているので、構成を簡素化できる。
【図面の簡単な説明】
【００１４】
【図１】本考案の第１実施形態に係り、画像形成装置の内部を示す概略構成図である。
【図２】図１に示す第１及び第２ドラムカートリッジと現像カートリッジの装着を説明する図である。
【図３】図２に示す第１及び第２被押圧部周辺を示す拡大図である。
【図４】図２に示す第１及び第２被押圧部周辺の拡大断面図であって、特に第１被押圧部が第１押圧部に押圧されている状態を示す。
【図５】図２に示す第１及び第２被押圧部周辺の拡大断面図であって、特に第２被押圧部が第２押圧部に押圧されている状態を示す。
【図６】図２に示す第２被押圧部が第２押圧部に押圧されている状態を示す斜視図である。
【図７】本考案の第２実施形態に係る現像カートリッジの第１及び第２被押圧部周辺を示す拡大図である。
【考案を実施するための形態】
【００１５】
次に、本考案に係る現像カートリッジの一実施形態について図面を参照して説明する。
【００１６】
（第１実施形態）
＜プリンタの全体構成＞
図１は、「画像形成装置」の一例であるレーザプリンタ１Ａの内部概略構成図である。
【００１７】
レーザプリンタ１Ａは、本体ケーシング２に給紙カセット３が着脱自在に装着されている。給紙カセット３には用紙４が積層状態で収容されている。レーザプリンタ１Ａは、図中一点鎖線に示すように、給紙部５によって給紙カセット３から画像形成部６へ用紙４を搬送し、画像形成部６において画像を形成した用紙４を排紙部７から排紙トレイ２ａへ排出する。
【００１８】
画像形成部６は、露光ユニット１１からプロセスユニット１２Ａの感光体ドラム２１に向けてレーザ光を照射し、感光体ドラム２１の表面に静電潜像を形成する。プロセスユニット１２Ａは、感光体ドラム２１の表面に「現像剤」の一例であるトナー３１を供給してトナー像を形成し、そのトナー像を転写した用紙４を定着部１３へ送る。定着部１３は用紙４にトナー像を熱定着させる。
【００１９】
本体ケーシング２は、前面に開口部２ｂが設けられている。開閉部材２ｃは、本体ケーシング２にヒンジ部８を介して回動可能に支持され、開口部２ｂを開閉する。プロセスユニット１２Ａは、消耗品である感光体ドラム２１やトナー３１のメンテナンスを容易にするために、開口部２ｂを介して本体ケーシング２に着脱自在に装着されている。
【００２０】
＜プロセスユニットの構成＞
プロセスユニット１２Ａは、消耗期間の相違から、感光体ドラム２１を備える第１ドラムカートリッジ２０Ａと、トナー３１を収容する現像カートリッジ３０とに分離されている。プロセスユニット１２Ａは、例えば、第１ドラムカートリッジ２０Ａを本体ケーシング２に装着した後に現像カートリッジ３０を着脱しても良いし、予め現像カートリッジ３０を装着した第１ドラムカートリッジ２０Ａを本体ケーシング２に装着しても良い。
【００２１】
＜現像カートリッジの構成＞
現像カートリッジ３０は、樹脂製の現像側筐体３２を備える。現像側筐体３２は、現像カートリッジ３０を第１ドラムカートリッジ２０Ａに装着したときに、感光体ドラム２１に接触する現像ローラ３５を回転可能に支持している。現像側筐体３２は、現像ローラ３５と平行に供給ローラ３４を配置している。供給ローラ３４は、現像ローラ３５に接触して現像ローラ３５と相対的に回転する。
【００２２】
現像側筐体３２には、トナー３１を収納するトナー室３２ａが形成されている。トナー室３２ａの内部には、アジテータ３３が回転自在に配置され、トナー３１が攪拌されるようになっている。現像側筐体３２は、トナー室３２ａからトナー３１を排出する排出口３２ｂが現像ローラ３５及び供給ローラ３４と平行に開設され、トナー３１を供給ローラ３４を介して現像ローラ３５に供給するようになっている。現像側筐体３２は、現像ローラ３５に付着した余分なトナー３１を掻き落としてトナー３１の厚みを均一にするとともにトナー３１を帯電させるブレード３６を備える。
【００２３】
＜ドラムカートリッジの構成＞
一方、第１ドラムカートリッジ２０Ａは、樹脂製のドラム側筐体２５Ａを備える。ドラム側筐体２５Ａには感光体ドラム２１が回転可能に軸支されている。ドラム側筐体２５Ａは、感光体ドラム２１の軸線に沿って長く入射開口部１４が設けられ、露光ユニット１１のレーザ光を感光体ドラム２１の表面に照射させる。
【００２４】
ドラム側筐体２５Ａは、感光体ドラム２１の表面を帯電させる帯電器２２を入射開口部１４の隣に配置している。ドラム側筐体２５Ａは、感光体ドラム２１の図中下側に転写ローラ２３を回転可能に配置している。転写ローラ２３は、感光体ドラム２１との間に搬送された用紙４にトナー像を転写するための転写デバイスが印加される。転写ローラ２３の隣には、異物除去ブラシ２４が配置され、感光体ドラム２１からの異物除去を行う。
【００２５】
＜ドラムカートリッジと現像カートリッジの装着構造＞
図２は、図１に示す第１及び第２ドラムカートリッジ２０Ａ，２０Ｂと現像カートリッジ３０の装着を説明する図である。尚、図２に示す第１及び第２ドラムカートリッジ２０Ａ，２０Ｂと現像カートリッジ３０は、図面を見やすくするために、記載を簡略化している。
【００２６】
現像カートリッジ３０は、第１被押圧部３２ｃと異なる位置に第２被押圧部３２ｄが設けられ、第１ドラムカートリッジ２０Ａの第１押圧部４０Ａと異なる位置に第２押圧部４０Ｂが設けられた第２ドラムカートリッジ２０Ｂにも装着できる点に特徴を有する。
【００２７】
第１ドラムカートリッジ２０Ａは、ドラム側筐体２５Ａの上壁２５ｃを除く部分の上方が開放され、現像カートリッジ３０を上方から着脱できるように収容部２５ａが形成されている。収容部２５ａの左右側壁２５ｄ，２５ｄには、案内溝２５ｂがそれぞれ設けられている。案内溝２５ｂ，２５ｂは、現像カートリッジ３０を収容部２５ａに装着するときに、現像側筐体３２の左右側壁３２ｆ，３２ｆから突出する現像ローラ軸３５ａを摺動可能に支持して案内し、現像ローラ３５を感光体ドラム２１に対して平行に近接させるように、設けられている。
【００２８】
ドラム側筐体２５Ａは、感光体ドラム２１を支持する前側と収容部２５ａを挟んで反対の後側の側壁２５ｇに一対の第１押圧部４０Ａが配置されている。第１押圧部４０Ａは、感光体ドラム２１の軸線方向中心を通り且つ感光体ドラム２１の軸線Ｌ１１に対して垂直な垂線Ｌ１２を挟んで対称配置されている。
【００２９】
ところで、第２ドラムカートリッジ２０Ｂは、現像カートリッジ３０を収容部２５ａに収容して、プロセスユニット１２Ｂを構成する。このプロセスユニット１２Ｂを装着可能な画像形成装置を以下レーザプリンタ１Ｂという。
【００３０】
第２ドラムカートリッジ２０Ｂは、第１ドラムカートリッジ２０Ａの第１押圧部４０Ａと同一構造の第２押圧部４０Ｂを備える。第２ドラムカートリッジ２０Ｂは、ドラム側筐体２５Ｂの形状が第１ドラムカートリッジ２０Ａのドラム側筐体２５Ａと異なっている。そのため、第２ドラムカートリッジ２０Ｂは、第２押圧部４０Ｂが第１押圧部４０Ａと比べて現像ローラ３５から離れており、第１押圧部４０Ａと異なる位置に第２押圧部４０Ｂを配置している。
【００３１】
図４及び図５の拡大断面図に示すように、第１及び第２押圧部４０Ａ，４０Ｂは、揺動部材４１が、第１及び第２ドラムカートリッジ２０Ａ，２０Ｂのドラム側筐体２５Ａ，２５Ｂに、図示しない支軸を介して揺動可能に保持されている。揺動部材４１は、樹脂成形品であって、現像カートリッジ３０を収容部２５ａへ案内する傾斜面４１ａが上面に設けられている。揺動部材４１は、感光体ドラム２１側の端面に押圧面４１ｂが傾斜面４１ａから連続的に設けられている。揺動部材４１は、凹部４１ｃが、傾斜面４１ａと上方に開口するように設けられている。
【００３２】
揺動部材４１とドラム側筐体２５Ａ，２５Ｂとの間には、付勢部材４２が縮設され、揺動部材４１に感光体ドラム２１側へ回転する方向の力を常時与えている。揺動部材４１は、現像カートリッジ３０を第１及び第２ドラムカートリッジ２０Ａ，２０Ｂに装着していないときには、図４及び図５の図中点線に示すように、ドラム側筐体２５Ａ，２５Ｂに立設された係止突起２５ｆに係止される待機位置において回転を規制される。一方、揺動部材４１は、現像カートリッジ３０を第１及び第２ドラムカートリッジ２０Ａ，２０Ｂに装着したときには、図４及び図５に示すように、感光体ドラム２１と反対側へ回動し、付勢部材４２を圧縮した状態で第１及び第２被押圧部３２ｃ，３２ｄに当接する押圧位置へ移動する。
【００３３】
一方、図２に示すように、現像カートリッジ３０は、現像側筐体３２の左右側壁３２ｆ，３２ｆに現像ローラ３５の現像ローラ軸３５ａを回転自在に保持している。一方の側壁３２ｆの外側には、現像ローラ軸３５ａなどに駆動力を伝達するギヤ列が設けられ、そのギヤ列を覆うようにカバー３２ｇが取り付けられている。
【００３４】
現像側筐体３２には、第１被押圧部３２ｃは、図４に示す第１ドラムカートリッジ２０Ａの第１押圧部４０Ａに対応する位置に設けられ、第２被押圧部３２ｄは、図５に示す第２ドラムカートリッジ２０Ｂの第２押圧部４０Ｂに対応する位置に設けられている。
【００３５】
現像側筐体３２は、一対の側壁３２ｆ，３２ｆに第１被押圧部３２ｃと第２被押圧部３２ｄがそれぞれ配置されている。第１及び第２被押圧部３２ｃ，３２ｄは、現像ローラ３５の軸方向Ｌ１の中心Ｌ２を挟んで現像側筐体３２の左右両側に配置されている。更に、第１及び第２被押圧部３２ｃ，３２ｄは、現像側筐体３２の高さ方向に異なる位置に設けられている。
【００３６】
図３に示すように、第１被押圧部３２ｃは、パイプ状をなし、一対の側壁３２ｆ，３２ｆから現像ローラ３５の軸方向Ｌ１に突出するように設けられている。
【００３７】
図３に示すように、第２被押圧部３２ｄは、現像側筐体３２に対して現像ローラ３５と反対方向に突出するように設けられている。第２被押圧部３２ｄは、現像ローラ３５の軸線Ｌ１に対して直交するように配置される板状体である。現像側筐体３２は、第２被押圧部３２ｄとの接続部分に第２被押圧部３２ｄの強度を補強する補強部３２ｅが設けられている。第２被押圧部３２ｄと補強部３２ｅは、現像側筐体３２を射出成形する際に現像側筐体３２と一体的に設けられる。
【００３８】
＜動作説明＞
図２に示すように、現像カートリッジ３０の現像ローラ軸３５ａを第１ドラムカートリッジ２０Ａの案内溝２５ｂに挿入して現像カートリッジ３０を収容部２５ａに収容すると、現像カートリッジ３０は、第１被押圧部３２ｃが第１押圧部４０Ａに当接して押圧される。
【００３９】
すなわち、図４に示すように、現像カートリッジ３０は、第１ドラムカートリッジ２０Ａの収容部２５ａに収容されるときに、待機位置に配置されている揺動部材４１を付勢部材４２の付勢力に抗して感光体ドラム２１と反対側へ回動させて、押圧位置へ移動させる。付勢部材４２が発生する反発力は、第１押圧部４０Ａの押圧面４１ｂから第１被押圧部３２ｃに伝達される。現像側筐体３２は、第１被押圧部３２ｃに作用する力を側壁３２ｆを介して現像ローラ３５に伝達し、現像ローラ３５を感光体ドラム２１に対して押し付ける。
【００４０】
これに対して、図５及び図６に示すように、現像カートリッジ３０の現像ローラ軸３５ａを第２ドラムカートリッジ２０Ｂの案内溝２５ｂ挿入して現像カートリッジ３０を収容部２５ａに収容すると、現像カートリッジ３０は、第２被押圧部３２ｄが第２押圧部４０Ｂに当接して押圧される。
【００４１】
すなわち、現像カートリッジ３０は、第２ドラムカートリッジ２０Ｂの収容部２５ａに収容されるときに、第２被押圧部３２ｄが、第２押圧部４０Ｂの凹部４１ｃに挿入された後、背板４１ｅに突き当たって付勢部材４２の付勢力に抗して揺動部材４１を感光体ドラム２１と反対側へ回動させ、揺動部材４１を待機位置から押圧位置へ移動させる。揺動部材４１とドラム側筐体２５Ｂとの間で発生する付勢部材４２の反発力は、揺動部材４１の背板４１ｅから第２被押圧部３２ｄへ伝達される。そして、現像側筐体３２は、第２被押圧部３２ｄに受けた力を側壁３２ｆを介して現像ローラ３５に伝達し、現像ローラ３５を感光体ドラム２１に対して押し付ける。
【００４２】
＜作用効果＞
ここで、第１押圧部４０Ａを有する第１ドラムカートリッジ２０Ａと、第１押圧部４０Ａと異なる位置に設けられる第２押圧部４０Ｂを有する第２ドラムカートリッジ２０Ｂとが流通される場合を考える。この場合、第１押圧部４０Ａに対応する被押圧部を有する現像カートリッジ（第１ドラムカートリッジ２０Ａの専用品）と、第２押圧部４０Ｂに対応する被押圧部を有する現像カートリッジ（第２ドラムカートリッジ２０Ｂの専用品）とが、相互に誤って購入されると、画像形成に供せない場合がある。
【００４３】
この点、第１実施形態の現像カートリッジ３０は、第１被押圧部３２ｃと異なる位置に第２被押圧部３２ｄが設けられている。そのため、例えば、第２ドラムカートリッジ２０Ｂの使用者が、第２ドラムカートリッジ２０Ｂの専用品と誤認して第１実施形態の現像カートリッジ３０を購入したとしても、購入した現像カートリッジ３０を第２ドラムカートリッジ２０Ｂに収容して使用できる。また、逆に、第１ドラムカートリッジ２０Ａの使用者が、第１ドラムカートリッジ２０Ａの専用品と誤認して第１実施形態の現像カートリッジ３０を購入したとしても、購入した現像カートリッジ３０を第１ドラムカートリッジ２０Ａに収容して使用できる。このように、第１実施形態の現像カートリッジ３０は、異なる種類のドラムカートリッジに収容して使用できるので、使い勝手が良い。
【００４４】
また、第１実施形態の現像カートリッジ３０は、現像側筐体３２が、現像ローラ３５を保持する一対の側壁３２ｆ，３２ｆを有し、その一対の側壁３２ｆ，３２ｆに第１被押圧部３２ｃと第２被押圧部３２ｄがそれぞれ配置されている。そのため、第１実施形態の現像カートリッジ３０は、第１及び第２被押圧部３２ｃ，３２ｄの何れが、第１及び第２押圧部４０Ａ，４０Ｂに押圧されても、その押圧力を一対の側壁３２ｆ，３２ｆを介して現像ローラ３５に効率的に伝達し、良好な印字性能を得ることができる。
【００４５】
また、第１実施形態の現像カートリッジ３０は、第１被押圧部３２ｃと第２被押圧部３２ｄが、現像ローラ３５の中心Ｌ２を挟んで現像側筐体３２の左右両側に設けられている。そのため、第１実施形態の現像カートリッジ３０は、第１及び第２被押圧部３２ｃ，３２ｄが第１及び第２押圧部４０Ａ，４０Ｂに押圧されたときに、その押圧力を現像ローラ３５に均一に作用させ、良好な印字性能を得ることができる。
【００４６】
また、第１実施形態の現像カートリッジ３０は、第１被押圧部３２ｃと第２被押圧部３２ｄが現像側筐体３２の高さ方向に異なる位置に設けられているため、現像側筐体３２を既存のサイズにしたまま第１及び第２被押圧部３２ｃ，３２ｄを現像側筐体に設けることができる。
【００４７】
また、第１実施形態の現像カートリッジ３０は、第２被押圧部３２ｄが、現像ローラ３５の軸線Ｌ１に対して直交するように配置された板状体であり、現像側筐体３２が、第２被押圧部３２ｄとの接続部分に第２被押圧部３２ｄの強度を補強する補強部３２ｅを有する。そのため、既存品の隙間に第２被押圧部３２ｄを配置することができる。そして、この場合、補強部３２ｅが第２被押圧部３２ｄを補強するので、第２被押圧部３２ｄが破損するのを防止することができる。
【００４８】
また、第１実施形態の現像カートリッジ３０は、第１被押圧部３２ｃが、現像側筐体３２に対して現像ローラ３５の軸線Ｌ１方向に突出するように設けられ、第２被押圧部３２ｄが、現像側筐体３２に対して現像ローラ３５と反対方向に突出するように設けられている。そのため、第１実施形態の現像カートリッジ３０は、第１及び第２被押圧部３２ｃ，３２ｄが異なる場所に配置され、第１及び第２被押圧部３２ｃ，３２ｄの何れか一方が第１及び第２押圧部４０Ａ，４０Ｂに押圧されるときに、使用されない他方の第１又は第２被押圧部３２ｃ，３２ｄが邪魔にならない。
【００４９】
また、第１実施形態の現像カートリッジ３０は、第１及び第２被押圧部３２ｃ，３２ｄが、現像カートリッジ３０を収容部２５ａへ案内する傾斜面４１ａとその傾斜面４１ａに開口する凹部４１ｃとを備える同一構造の第１及び第２押圧部４０Ａ，４０Ｂに当接可能である。第１被押圧部３２ｃは、第１押圧部４０Ａの傾斜面４１ａに押圧され、第２被押圧部３２ｄは、第２押圧部４０Ｂの凹部４１ｃに挿入された状態で押圧される。よって、現像カートリッジ３０は、現像側筐体３２を第２ドラムカートリッジ２０Ｂに収容したときに第２押圧部４０Ｂとの間に形成される空きスペースを利用して第２被押圧部３２ｄを配置することができる。
【００５０】
また、板状の第２被押圧部３２ｄを凹部４１ｃに挿入して第２押圧部４０Ｂが第２被押圧部３２ｄを押圧する際に、第２被押圧部３２ｄが凹部４１ｃの内壁に支持されて変形を阻止され、破損を防止できる。
【００５１】
また、第１実施形態の現像カートリッジ３０は、第２被押圧部３２ｄが現像側筐体３２に一体的に設けられているので、構成を簡素化できる。
【００５２】
（第２実施形態）
続いて、本考案に係る現像カートリッジの第２実施形態について説明する。図７は、本考案の第２実施形態に係る現像カートリッジ５０の第１及び第２被押圧部３２ｃ，５１周辺を示す拡大図である。
【００５３】
現像カートリッジ５０は、第２被押圧部５１を現像側筐体５２に着脱可能に取り付けている点が、第１実施形態と相違する。第２被押圧部５１は、補強部３２ｅの挿入溝５２ｆに挿入された後、凹凸係合や固定部材などによって現像側筐体５２に固定される。
【００５４】
このような現像カートリッジ５０は、使用者が、第２ドラムカートリッジ２０Ｂに現像カートリッジ５０を装着できないことに気付いたときに、第２被押圧部５１を購入して現像側筐体５２に取り付ける。よって、第２実施形態の現像カートリッジ５０は、第２ドラムカートリッジ２０Ｂに装着できない不備が、第２被押圧部５１を現像側筐体５２に取り付けるだけで簡単に解消できる。
【００５５】
尚、本考案の実施の形態について説明したが、本考案は、上記実施の形態に限定されることなく、色々な応用が可能であることは言うまでもない。
【００５６】
例えば、上記実施形態では、第１被押圧部３２ｃをパイプ状に設け、第２被押圧部３２ｄを板状にしたが、形状はこれに限定されない。
【符号の説明】
【００５７】
２０Ａ        第１ドラムカートリッジ
２０Ｂ        第２ドラムカートリッジ
２１          感光体ドラム
２５ａ        収容部
３０，５０    現像カートリッジ
３２ｃ        第１被押圧部
３２，５２    現像側筐体
３２ｄ、５１  第２被押圧部
３５          現像ローラ
４０Ａ        第１押圧部
４０Ｂ        第２押圧部
【図１】
0003167175.tif 000003
【図２】
0003167175.tif 000004
【図３】
0003167175.tif 000005
【図４】
0003167175.tif 000006
【図５】
0003167175.tif 000007
【図６】
0003167175.tif 000008
【図７】
0003167175.tif 000009